(57)【要約】リバーシブルな外装用帯２００、３００、４００を備えるディスプレイ用容器について記述されている。ディスプレイ用容器は、少なくとも２つの箱型部品１００、１０２を有する箱を含み、各箱型部品は内部および外部を有する。少なくとも１つの細長のリバーシブル帯が含まれる。細長の帯は、第１の面および第２の面を有し、細長の帯は、細長の帯の第１の面を提示する第１の閉位置に向かって、箱型部品が回転され、次いで、細長のリバーシブル帯を反転し、リバーシブル帯の第２の面を提示する第２の閉位置に向かって箱型部品が回転されるように、１つの箱型部品の外部、およびもう１つの箱型部品の内部に付着される。【選択図】図６
2016536230.tif 000002
【特許請求の範囲】
【請求項１】
各々が内部および外部を有する第１部品および第２部品と、
第１リバーシブル帯であって、前記第１リバーシブル帯は、第１の面および第２の面を有し、前記第１のリバーシブル帯の前記第１の面を表示するように第１の閉位置に向かって前記第１部品および第２部品が互いに回転可能であり、そして、前記第１リバーシブル帯を反転し、前記第１リバーシブル帯の前記第２の面を表示する第２の閉位置に向かって前記第１部品および第２部品が回転可能であるように、前記第１部品および前記第２部品に付着されている第１リバーシブル帯と、
を備えることを特徴とする外装用リバーシブル帯を備える容器。
【請求項２】
第２リバーシブル帯および第３リバーシブル帯をさらに備え、前記第１リバーシブル帯、前記第２リバーシブル帯および前記第３リバーシブル帯は少なくとも２つの翼部をそれぞれ含み、前記第１リバーシブル帯および前記第２リバーシブル帯は前記第１部品の外部周囲に配置され、前記第１リバーシブル帯および前記第２リバーシブル帯の翼部は前記第１部品および前記第２部品の両方の内部に付着され、前記第３リバーシブル帯は前記第２部品の外部周囲に配置され、前記第３リバーシブル帯の前記翼部は前記第１部品および前記第２部品の両方の内部に付着されていることを特徴とする請求項１に記載の容器。
【請求項３】
第１リバーシブル帯の翼部が第１部品の端部を超えて延在するように、前記第１リバーシブル帯を前記第１部品の外部周囲に配置する工程と、
第２リバーシブル帯の翼部が前記第１部品の端部を超えて延在するように、前記第２リバーシブル帯を前記第１部品の外部周囲に配置する工程と、
第３リバーシブル帯の翼部が前記第１部品の端部の下方に位置するように前記第３リバーシブル帯を配置する工程と、
前記第３リバーシブル帯を第２部品の外部周囲に配置させた状態で、前記第２部品を前記第１部品の隣に配置する工程と、
前記第１リバーシブル帯の前記翼部を前記第１部品の内部および前記第２部品の内部に貼り付ける工程と、
前記第２リバーシブル帯の前記翼部を前記第１部品の内部および前記第２部品の内部に貼り付ける工程と、
前記第３リバーシブル帯の前記翼部を前記第１部品の内部および前記第２部品の内部に貼り付ける工程と、
を含むことを特徴とする外装用リバーシブル帯を備える容器を形成する方法。
【請求項４】
請求項３に記載の方法に従って形成された、外装用リバーシブル帯を備える容器。
【発明の詳細な説明】
【技術分野】
【０００１】
（関連出願の相互参照）
本発明は、２０１３年９月２３日に出願された、「ＣＯＮＴＡＩＮＥＲ  ＷＩＴＨ  ＲＥＶＥＲＳＩＢＬＥ  ＥＸＴＥＲＩＯＲ  ＳＴＲＩＰ（外装用リバーシブル帯を備えた容器）」と題された、米国仮出願第６１／８８１，２８５号の非仮出願である。
【０００２】
本発明は容器に関し、より具体的には、少なくとも１つの外装用のリバーシブルな帯（ｓｔｒｉｐ）を有する製品容器に関する。
【背景技術】
【０００３】
本分野において、容器は、様々な対象物をディスプレイするためにしばしば使用されることが、長きに渡り知られている。典型的なディスプレイ用容器、またはディスプレイ用箱は、その中に内容物をディスプレイすることができる一方で、不変の恒久的な図版または複写を有する。このような不変の恒久的な図版または複写により、小売業者、製造業者などは、ひとつのメッセージ（意図）またはデザインのみを伝えることが可能である。製造業者らが外装用包装のメッセージまたはデザインを修正、または変更することを決めた場合、典型的には、製造業者はその外観を修正するために、包装を再デザインし、差し替える費用を負わなければならない。上記から分かるように、このような工程は費用がかかり、面倒である。
【発明の概要】
【発明が解決しようとする課題】
【０００４】
このように、ユーザが容器外装の図版または複写を容易に修正または変更することができるディスプレイ用容器に対する、絶え間ない要望が存在する。
【課題を解決するための手段】
【０００５】
１つまたはそれ以上のリバーシブル外装帯を備えるディスプレイ用容器が記されている。１つの態様では、容器は第１部品および第２部品を含み、第１部品および第２部品の各々は内部（内面）および外部（外面）を有する。さらに、第１リバーシブル帯が含まれ、第１リバーシブル帯は第１の面および第２の面を有する。第１リバーシブル帯は、第１リバーシブル帯の第１の面を表示（ディスプレイ）するために、第１部品と第２部品が第１の閉位置に向かって互いに回転され、次いで、第１リバーシブル帯を反転し、第１リバーシブル帯の第２の面を表示する、第２の閉位置へと回転されうるように、第１部品と第２部品に貼り付けられる。
【０００６】
別の態様では、第２リバーシブル帯および第３リバーシブル帯が含まれる。第１、第２および第３リバーシブル帯は、各々が少なくとも２つの翼部（ｗｉｎｇ）を含む。さらに、第１および第２のリバーシブル帯は第１部品の外部周囲に位置し、第１および第２リバーシブル帯の翼部は第１および第２部品の両方の内部に付着され、第３のリバーシブル帯は第２部品の外部周囲に位置し、その際、第３リバーシブル帯の翼部は第１および第２部品の両方の内部に付着される。
【０００７】
別の態様において、および、当業者によって理解可能なように、本発明は、ここに記される発明を形成および使用する方法をも含む。
【０００８】
例えば、外装用リバーシブル帯を備える容器を形成する方法は、第１リバーシブル帯の翼部が第１部品の端部を超えて延在するように、第１リバーシブル帯を第１部品の外部周囲に配置する工程と、第２リバーシブル帯の翼部が第１部品の端部を超えて延在するように、第２リバーシブル帯を第１部品の外部周囲に配置する工程と、第３リバーシブル帯の翼部が、第１部品の端部下に位置するように第３リバーシブル帯を配置する工程と、第３リバーシブル帯を第２部品の外部周囲に配置させながら、第２部品を第１部品の隣に配置する工程と、第１リバーシブル帯の翼部を第１部品の内部および第２部品の内部に貼り付ける工程と、第２リバーシブル帯の翼部を第１部品の内部および第２部品の内部に貼り付ける工程と、第３リバーシブル帯の翼部を第１部品の内部および第２部品の内部に貼り付ける工程とを含む。
【０００９】
最後に、別の態様は容器を使用する方法を含む。方法は、外部に表示されるリバーシブル帯の表面を修正するために、２つの部品を互いの周りで回転させる工程を含む。
【００１０】
本発明の目的、特徴および有利な効果は、本発明の好適な態様の以下の詳述、および以下の図面から明らかとなろう。
【図面の簡単な説明】
【００１１】
【図１】図１は、本発明の原理に従った、第１部品および第２部品を有する容器、および、リバーシブル帯を表す図である。
【図２】図２は、本発明の原理に従った、第１リバーシブル帯が第１部品に被せられ、翼部が第１部品の端部を超えて延在していることを表す図である。
【図３】図３は、本発明の原理に従った、第２リバーシブル帯が第１部品に被せられ、翼部が第１部品の端部を超えて延在していることを表す図である。
【図４】図４は、第３リバーシブル帯が第１部品の端部下に置かれるように、第３リバーシブル帯が配置されていることを表す図である。
【図５】図５は、第２部品が第１部品の隣に配置され、その際、第３リバーシブル帯が第２部品に被せられていることを表す図である。
【図６】図６は、第１部品および第２部品の内部図を表し、リバーシブル帯の翼部が第１部品および第２部品の端部を超えて延在していることを示す図である。
【図７】図７は、第１部品および第２部品の内部図を表し、リバーシブル帯の翼部が第１部品および第２部品の内部に貼り付けられていることを示す図である。
【図８】図８は、第１部品および第２部品の外部を表し、リバーシブル帯の第１の面を示す図である。
【図９】図９は、閉位置の第１部品および第２部品を表し、リバーシブル帯の第１の面を示す図である。
【図１０】図１０は、リバーシブル帯を反転する工程を表し、第１部品および第２部品が開かれることを示す図である。図１０は、リバーシブル帯を反転する工程を表し、リバーシブル帯の第２の面を露出するように、第１部品および第２部品が互いに回転されたことを示す図である。
【図１１】図１１は、リバーシブル帯を反転する工程を表し、第１部品および第２部品が互いに回転されたことを示す図である。
【図１２】図１２は、リバーシブル帯を反転する工程を表し、第１部品と第２部品が互いに回転されたことを示す図である。
【図１３】図１３は、リバーシブル帯を反転する工程を表し、リバーシブル帯の第２の面を露出するように、第１部品および第２部品が互いに回転されたことを示す図である。
【図１４】図１４は、リバーシブル帯を反転する工程を表し、リバーシブル帯の第２の面を露出するように、第１部品および第２部品は互いに回転されたことを示す図である。
【図１５】図１５は、閉位置の第１部品および第２部品を表し、リバーシブル帯の第２の面を示す図である。
【発明を実施するための形態】
【００１２】
本発明はディスプレイ用箱、より具体的には、少なくとも１つの外装用リバーシブル帯を有するディスプレイ用容器に関する。以下の記述は、当業者が本発明を作成および利用し、および、特定の応用環境に取り入れることができるように示されるものである。様々な修正および異なる応用での様々な使用は、当業者にとって容易に明らかとなろう。また、ここに画定される一般的原理は、広範な実施形態に適用されうる。よって、本発明は、示されている実施形態に限定されるものではなく、ここに開示される原理および新規の特徴と一致する、最大の範囲を許容するものである。
【００１３】
以下の詳細な記述では、本発明のより深い理解を提供するために、多数の具体的な詳細が記載されている。ただし、本発明が必ずしもこれらの具体的な詳細に限定されることなく実行されうることは、当業者にとって明らかであろう。別の例では、本発明を曖昧にすることを避けるために、既知の構成および装置が、詳細にではなくブロック図形式で示されている。
【００１４】
読者の関心は、本明細書と共に提出され、本明細書によって公開されたすべての文書に向けられており、それらすべての文書の内容は参照によりここに組み込まれている。（付随するあらゆる請求項、要約および図面を含む）本明細書で開示されたすべての特徴は、明確な指示の無い限り、同一、同等または類似の事象に役立つ代替の特徴によって差し替えられてもよい。それ故、明確な指示の無い限り、開示される各特徴は、同等または類似の特徴の一般的な組み合わせにおける単なる１つの例に過ぎない。
【００１５】
さらに、特定された機能を実行するための「方法」、または、特定の機能を実行するための「ステップ」を明確に言及していない請求項の任意の要素は、米国特許法第１１２条第６段落によって特定される「方法」または「ステップ」の条項として解釈されるべきではない。具体的には、文中での「〜のステップ」または「〜の動作」の使用は、米国特許法大１１２条第６段落の規定を想起させるものではない。
【００１６】
使用の場合は、左、右、正面、背面、頂部、底部、前方、反対、時計回り、反時計回りという分類（ｌａｂｅｌｓ）は簡便性の目的のみに使用され、特定の固定された方向を意味するものではない。その代り、物体の様々な部分の間の、相対的な場所および／または方向を反映するのに使用される。
【００１７】
（１）説明
ここに記述されるのは、製品または物品が中に入っていながらにして、ユーザが容器の外部に表示（ディスプレイ、提示）された図版、複写、またはデザインを簡単に変更または反転できる、ディスプレイ用容器である。具体的には、容器は、容器の外部周囲に配置される、１つまたはそれ以上のリバーシブル帯を含む。帯は、消費者あるいはユーザに望ましく伝えられる、複写、デザイン、図版、またはその他のメッセージまたはデザインを含む。動作中、ユーザは容易に容器を操作（ｍａｎｉｐｕｌａｔｅ）することができ、その操作を通じて、リバーシブル帯を効率的に反転し、外側を向いている帯の面を変更させることができる。外側に配置される帯の面を選択的に修正することにより、ユーザは、個別の容器上に載せられる複写、デザイン、図版などを選択的に修正することができる。さらなる理解のために、図１から図１５は本発明の原理に従った容器を形成および操作する工程を図示している。「リバーシブル帯」という用語は、簡便性の目的のみに使用されるものであり、必ずしも帯でなくてもよく（１つの態様ではありうるが）、上記の特徴を提供する任意の細長の構成要素であってもよい。さらに、本発明は３つの細長のリバーシブル帯（例えば、紙、プラスチック、金属箔など）を有するように記述および図示されているものの、本発明は、任意の適切な数が含まれてもよいことから、上記に限定されるものではない。よって、リバーシブル帯の数は好みに応じて増やす、または減らすことが可能であり、容器上の長さまたは寸法を変更するように、（増やす、減らす、異なる形状にする、など）修正されてもよい。さらに、容器の形状は好みに応じて変更されてもよい。加えて、「紙」という用語が使用されることがあるが、本発明は、紙に限定されるものではなく、プラスチック、金属、またはその他の適した材料を使用して形成されてもよい。
【００１８】
さらなる理解のために、および、図１に示されるように、容器は第１部品１００および第２部品１０２（または任意の適した部品の数）を含む。第１部品１００および第２部品１０２は互いに付着されている場合、集合的に容器を形成する。第１部品１００および第２部品１０２は、互いに付着されて集合的に容器を形成するように、任意の適した形状に形成されてもよいことは理解されるべきである。上記に限定されない例は、図１に示されるような、対角線で２つの等しい三角形の箱部品に分割される（すなわち、第１部品１００および第２部品１０２）、正方形または長方形の箱（すなわち、容器の形状）を含む。
【００１９】
さらに示されているのは、複数のリバーシブル帯１０４（例えばリバーシブル帯）である。特に、各リバーシブル帯は第１の面１０６および第２の面（図示せず）を有する。第１の面１０６および第２の面の各々は、好みに応じて、同一の、または異なる複写、図版またはデザインが備わる。１つの態様では、リバーシブル帯１０４は分離されて形成されてもよく、別の態様では、（図１に示されるように）１つのシートから切り出されてもよい。
【００２０】
図２は、容器を形成する工程を図示している。図のように、第１部品１００はその面上に載置され、第１リバーシブル帯２００は、第１の面１０６が見えるように、第１部品１００上に被せられる。第１リバーシブル帯２００は、第１部品１００の端部２０４を超えて延びる翼部２０２を含むように、十分な長さを有する。
【００２１】
図３は、第２リバーシブル帯３００が第１部品１００に被せられることを図示している。第２リバーシブル帯３００は、同様に、第１部品１００の端部２０４を超えて延びる翼部３０２を含むように、十分な長さを有する。
【００２２】
次に、および、図４に示されるように、第３リバーシブル帯４００は、（図６で要素４０２として示される）翼部が第１部品１００の端部２０４の下に配置されるように、第１部品１００に付着される。本発明の原理に従って、任意の適した数のリバーシブル帯が採用されてもよい。ただし、望ましくは、示されているように、少なくとも３つのリバーシブル帯が採用される。
【００２３】
図５に示されるように、第２部品１０２が第１部品１００の隣に配置されるように導入される。重要なことは、第２部品１０２が第１リバーシブル帯２００および第２リバーシブル帯３００の上部にあり、第３リバーシブル帯４００が第２部品１０２に被せられることである。
【００２４】
図６で、第１部品１００および第２部品１０２は、第１部品１００および第２部品１０２の内部６０１を見せるために、その面がひっくり返されている。特に、面がひっくり返された、または裏返された場合、リバーシブル帯２００、３００および４００の翼部２０２、３０２および４０２は、第１部品１００および第２部品１０２の端部を超えて延在している。１つの態様では、翼部２０２、３０２および４０２という用語は、リバーシブル帯２００、３００および４００が十分な長さを有していることを述べるのに使用され、その際、リバーシブル帯２００、３００および４００は、関連する第１部品１００および第２部品１０２の外部を超えて延在し、内部６０１に向かって巻きつけられ、そこに貼り付けられるのに十分な長さのリバーシブル帯２００、３００および４００の一部分が、翼部２０２、３０２および４０２と呼ばれ、および図示されている。
【００２５】
また、図５は帯２００、３００および４００の第１の面１０６を示し、図６は帯２００、３００および４００の第２の面６００を示している。
【００２６】
図７に示されているように、翼部２０２、３０２および４０２をピンと引っ張り、翼部２０２、３０２および４０２を第１部品１００および第２部品１０２の内側に向かって折りこむことによって、リバーシブル帯２００、３００および４００が第１部品１００および第２部品１０２に固定される（ここで翼部２０２、３０２および４０２は貼り付けられる）。翼部２０２、３０２および４０２は、２つの構成要素を互いに付着するための任意の適した機構、技術または装置を使用して、第１部品１００および第２部品１０２の内側に付着される。上記に限定されない例は、糊またはその他の接着剤の使用を含む。翼部２０２、３０２および４０２が第１部品１００および第２部品１０２の内側に貼り付けられた後、容器および帯がしっかりと固定されて使用可能となる。
【００２７】
例えば、図８に示されるように、開位置の第１部品１００および第２部品１０２による容器が図示されている。図示されるとおり、リバーシブル帯２００、３００および４００の第１の面１０６が、ユーザまたは消費者に対して提示される。さらに理解を深めるために、図９は、閉位置の第１部品１００および第２部品１０２による容器を示し、ここでは第１部品１００および第２部品１０２の外部９０１を描いており、さらに、リバーシブル帯２００、３００および４００の第１の面１０６を表している。
【００２８】
上記のとおり、本容器は、リバーシブル帯２００、３００および４００を選択的に反転し、そうすることによって、ユーザに対して提示されるデザイン、図版、複写などを変更する性能をユーザにもたらす。帯２００、３００および４００を反転するために、ユーザは、第１部品１００および第２部品１０２の一方の端部を互いに引き離すとともに、第１軸９０２の周囲で回転動作９００を行うことにより開始する。
【００２９】
図１０に示されるように、ユーザは、第１軸９０２を中心とした第１部品１００および第２部品１０２の回転動作９００を継続することができる。ここに示されるように、第１部品１００および第２部品１０２の反対側に延在して貼り付けられた翼部２０２、３０２および４０２を介して、第１部品１００および第２部品１０２の一方に被せられるリバーシブル帯２００、３００および４００のおかげで第１部品１００が第２部品１０２に連結されるので、回転動作９００の軸が形成される。例えば、第１リバーシブル帯２００は第１部品１００の外側に対して配置されている。第１部品の翼部２０２は、第２部品１０２の内側へと入り、そこで第２部品１０２に貼り付けられている。
【００３０】
図１１は、第１部品１００および第２部品１０２が互いに静止する（すなわち、図１１に示されるように、それ自体に折り返される）まで、第１部品１００および第２部品１０２が、第１の回転軸９０２を中心として継続して回転したことを示している。この時点で、第１部品１００および第２部品１０２は第２の回転軸１１０２の周囲の回転動作１１００を続けることができる。
【００３１】
図１２に示されるように、第１部品１００および第２部品１０２は第２の回転軸１１０２の周囲で回転動作１１００を続け、帯２００、３００および４００の第２の面６００が露出される。
【００３２】
さらに、図１３は、第１部品１００および第２部品１０２が（図１３に示されるように）互いに静止するまで、第１部品１００および第２部品１０２が第２の回転軸１１０２の周囲を継続して回転したことを示している。この時点で、第１部品１００および第２部品１０２は第３の回転軸１３０２の周囲で回転動作１３００を続けることができる。
【００３３】
図１５で示されるように第１部品１００および第２部品１０２が互いに静止するまで、第１部品１００および第２部品１０２は、図１４で示されるように、第３の回転軸１３０２の周囲を継続して回転動作１３００を続けることができる。とりわけ、図１５は、第１部品１００および第２部品１０２が閉位置にあり、（図９と比較して）完全に反転された状態の容器を示している。換言すると、リバーシブル帯２００、３００および４００は、各帯の第２の面６００が完全に露出されるとともにユーザまたは消費者に対して提示されるように、ここでは完全に反転されている。よって、上記から理解されるように、ユーザは、第１部品１００および第２部品１０２を互いに回転することができ、そうすることで、ユーザはリバーシブル帯２００、３００および４００の第１の面１０６または第２の面６００を選択的に提示することができる。
【００３４】
別の態様では、閉位置を保持する際に第１部品１００および第２部品１０２を補助するために、任意の適した連結装置が含まれてもよい。このような連結装置の限定されない例は、極性固定磁石（ｐｏｌａｒｉｔｙ  ｋｅｙｅｄ  ｍａｇｎｅｔ）を含み、この極性固定磁石は、閉位置にある場合、第１部品１００が第２部品１０２に磁気的に付着されるように、第１部品１００および第２部品１０２に付着される。このような磁石は、部品１００および１０２の各々の任意の適した場所に糊付けされるか、もしくは貼り付けられてもよい。
【００３５】
さらに、上記の方法は、本発明の原理に従った容器の形成のための技術の１つの例に過ぎず、容器は様々な技術または工程を使用して形成され、ここに記される容器に到達することから、上記に限定されるものではない。よって、本発明は、示されている実施形態に限定されるものではなく、ここに開示される原理および新規の特徴と一致する、最大の範囲を許容するものである。
【図１】
2016536230.tif 000003
【図２】
2016536230.tif 000004
【図３】
2016536230.tif 000005
【図４】
2016536230.tif 000006
【図５】
2016536230.tif 000007
【図６】
2016536230.tif 000008
【図７】
2016536230.tif 000009
【図８】
2016536230.tif 000010
【図９】
2016536230.tif 000011
【図１０】
2016536230.tif 000012
【図１１】
2016536230.tif 000013
【図１２】
2016536230.tif 000014
【図１３】
2016536230.tif 000015
【図１４】
2016536230.tif 000016
【図１５】
2016536230.tif 000017
【国際調査報告】
2016536230.tif 000018
2016536230.tif 000019